【手続補正書】
【提出日】平成28年10月6日(2016.10.6)
【手続補正１】
【補正対象書類名】特許請求の範囲
【補正対象項目名】全文
【補正方法】変更
【補正の内容】
【特許請求の範囲】
【請求項１】
非静止軌道（ＮＧＳＯ）衛星ネットワーク内の通信のための方法であって、
データを前記ＮＧＳＯ衛星ネットワークの第１のＮＧＳＯ衛星からリレーノードにおいて受信することと、ここにおいて、前記リレーノードは、前記ＮＧＳＯ衛星ネットワークの前記第１の衛星および第２の衛星に関連付けられた境界または共通ビームエリアに位置付けられ、前記データは、インターネットポイントオブプレゼンス（ＩＰＰ）が前記第１のＮＧＳＯ衛星に関連付けられた複数のビームのうちの少なくとも１つで利用可能でないことを前記第１のＮＧＳＯ衛星によって識別することに応答して、前記リレーノードにおいて受信される、
前記データを前記リレーノードから前記ＮＧＳＯ衛星ネットワークの第２のＮＧＳＯ衛星にリレーすることと、
を備え、
ここにおいて、ＩＰＰは、前記第２のＮＧＳＯ衛星に関連付けられた複数のビームのうちの少なくとも１つで利用可能である、方法。
【請求項２】
前記データを前記第２のＮＧＳＯ衛星から前記第２のＮＧＳＯ衛星のＩＰＰに関連付けられたゲートウェイに送信すること
をさらに備える、請求項１に記載の方法。
【請求項３】
前記第１のＮＧＳＯ衛星から受信された前記データを復号すること
をさらに備え、
ここにおいて、前記受信されたデータは、前記リレーノードに送信するためにおよび前記リレーノードで受信するために増加的冗長性（ＩＲ）を使用して符号化される、請求項１に記載の方法。
【請求項４】
前記第１または前記第２の衛星に関連付けられたビームは、周波数再利用ファクター１を使用する、請求項３に記載の方法。
【請求項５】
前記第１または前記第２の衛星に関連付けられた前記複数のビームは、干渉を低減するために異なるアンテナ偏波を使用して、近接するＮＧＳＯ衛星またはビームを有する複数の列にグループ化されるかまたは分離される、請求項４に記載の方法。
【請求項６】
非静止軌道（ＮＧＳＯ）衛星ネットワーク内の通信のための装置であって、
データを前記ＮＧＳＯ衛星ネットワークの第１のＮＧＳＯ衛星からリレーノードにおいて受信するための手段と、ここにおいて、前記リレーノードは、前記ＮＧＳＯ衛星ネットワークの前記第１の衛星および第２の衛星に関連付けられた境界または共通ビームエリアに位置付けられ、前記データは、インターネットポイントオブプレゼンス（ＩＰＰ）が前記第１のＮＧＳＯ衛星に関連付けられた複数のビームのうちの少なくとも１つで利用可能でないことを前記第１のＮＧＳＯ衛星によって識別することに応答して、前記リレーノードにおいて受信される、
前記データを前記リレーノードから前記ＮＧＳＯ衛星ネットワークの第２のＮＧＳＯ衛星にリレーするための手段と、
を備え、
ここにおいて、ＩＰＰは、前記第２のＮＧＳＯ衛星に関連付けられた複数のビームのうちの少なくとも１つで利用可能である、装置。
【請求項７】
前記データを前記第２のＮＧＳＯ衛星から前記第２のＮＧＳＯ衛星のＩＰＰに関連付けられたゲートウェイに送信するための手段
をさらに備える、請求項６に記載の装置。
【請求項８】
前記第１のＮＧＳＯ衛星から受信された前記データを復号するための手段
をさらに備え、
ここにおいて、前記受信されたデータは、増加的冗長性（ＩＲ）を使用して符号化される、請求項６に記載の装置。
【請求項９】
前記第１または前記第２の衛星に関連付けられたビームは、周波数再利用ファクター１を使用する、請求項８に記載の装置。
【請求項１０】
前記第１または前記第２の衛星に関連付けられた前記複数のビームは、干渉を低減するために異なるアンテナ偏波を使用して、近接するＮＧＳＯ衛星またはビームを有する複数の列にグループ化されるかまたは分離される、請求項９に記載の装置。
【請求項１１】
非静止軌道（ＮＧＳＯ）衛星ネットワーク内の通信のための装置であって、
メモリと、
前記メモリに結合された少なくとも１つのプロセッサとを備え、前記少なくとも１つのプロセッサは、
データを前記ＮＧＳＯ衛星ネットワークの第１のＮＧＳＯ衛星からリレーノードにおいて受信することと、ここにおいて、前記リレーノードは、前記ＮＧＳＯ衛星ネットワークの前記第１の衛星および第２の衛星に関連付けられた境界または共通ビームエリアに位置付けられ、前記データは、インターネットポイントオブプレゼンス（ＩＰＰ）が前記第１のＮＧＳＯ衛星に関連付けられた複数のビームのうちの少なくとも１つで利用可能でないことを前記第１のＮＧＳＯ衛星によって識別することに応答して、前記リレーノードにおいて受信される、
前記データを前記リレーノードから前記ＮＧＳＯ衛星ネットワークの第２のＮＧＳＯ衛星にリレーすることと、
を行うように構成され、
ここにおいて、ＩＰＰは、前記第２のＮＧＳＯ衛星に関連付けられた複数のビームのうちの少なくとも１つで利用可能である、装置。
【請求項１２】
前記少なくとも１つのプロセッサは、
前記データを前記第２のＮＧＳＯ衛星から前記第２のＮＧＳＯ衛星のＩＰＰに関連付けられたゲートウェイに送信すること
を行うようにさらに構成される、請求項１１に記載の装置。
【請求項１３】
前記少なくとも１つのプロセッサは、
前記第１のＮＧＳＯ衛星から受信された前記データを復号すること、
を行うようにさらに構成され、
ここにおいて、前記受信されたデータは、前記リレーノードに送信するためにおよび前記リレーノードで受信するために増加的冗長性（ＩＲ）を使用して符号化される、請求項１１に記載の装置。
【請求項１４】
前記第１または前記第２の衛星に関連付けられたビームは、周波数再利用ファクター１を使用する、請求項１３に記載の装置。
【請求項１５】
前記第１または前記第２の衛星に関連付けられた前記複数のビームは、干渉を低減するために異なるアンテナ偏波を使用して、近接するＮＧＳＯ衛星またはビームを有する複数の列にグループ化される、請求項１４に記載の装置。
【請求項１６】
非静止軌道（ＮＧＳＯ）衛星ネットワーク内の通信のためのコンピュータ実行可能コードを記憶するコンピュータ読取可能媒体であって、
データを前記ＮＧＳＯ衛星ネットワークの第１のＮＧＳＯ衛星からリレーノードにおいて受信するためのコードと、ここにおいて、前記リレーノードは、前記ＮＧＳＯ衛星ネットワークの前記第１の衛星および第２の衛星に関連付けられた境界または共通ビームエリアに位置付けられ、前記データは、インターネットポイントオブプレゼンス（ＩＰＰ）が前記第１のＮＧＳＯ衛星に関連付けられた複数のビームのうちの少なくとも１つで利用可能でないことを前記第１のＮＧＳＯ衛星によって識別することに応答して、前記リレーノードにおいて受信される、
前記データを前記リレーノードから前記ＮＧＳＯ衛星ネットワークの第２のＮＧＳＯ衛星にリレーするためのコードと、
を備え、
ここにおいて、ＩＰＰは、前記第２のＮＧＳＯ衛星に関連付けられた複数のビームのうちの少なくとも１つで利用可能である、コンピュータ読取可能媒体。
【請求項１７】
前記データを前記第２のＮＧＳＯ衛星から前記第２のＮＧＳＯ衛星のＩＰＰに関連付けられたゲートウェイに送信するためのコード
をさらに備える、請求項１６に記載のコンピュータ読取可能媒体。
【請求項１８】
前記第１のＮＧＳＯ衛星から受信された前記データを復号するためのコード
をさらに備え、
ここにおいて、前記受信されたデータは、前記リレーノードに送信するためにおよび前記リレーノードで受信するために増加的冗長性（ＩＲ）を使用して符号化される、請求項１６に記載のコンピュータ読取可能媒体。
【請求項１９】
前記第１または前記第２の衛星に関連付けられたビームは、周波数再利用ファクター１を使用する、請求項１８に記載のコンピュータ読取可能媒体。
【請求項２０】
前記第１または前記第２の衛星に関連付けられた前記複数のビームは、干渉を低減するために異なるアンテナ偏波を使用して、近接するＮＧＳＯ衛星またはビームを有する複数の列にグループ化されるかまたは分離される、請求項１９に記載のコンピュータ読取可能媒体。